(57)【特許請求の範囲】
【請求項１】
分電盤内に配置され、本体ケースの一端側に各極の端子を同一高さに配設した端子部を備えた回路遮断器と、該回路遮断器に外付けして該回路遮断器の端子部と盤内に布設した主幹回路のバー導体とを中継接続する回路遮断器の端子アダプタであって、
該端子アダプタは、回路遮断器の本体ケースと同幅な外形で前記本体ケースの端子部に連結した端子台と、前記回路遮断器の各極の端子に対応して前記端子台の内部に並置したバー接続導体とからなり、
かつ前記各極のバー接続導体は、回路遮断器との接続側端部を端子台から外部に突出させてその先端に端子ネジのネジ孔を設け、分電盤の主幹回路との接続側端部には隣接するバー接続導体の相互間に高低段差を設定した上で、その先端に端子ネジを設けたことを特徴とする回路遮断器の端子アダプタ。
【請求項２】
請求項１に記載の端子アダプタにおいて、前記端子台の内部に並置した各極のバー接続導体のうち、少なくとも一方のバー接続導体にはその長手方向の途中箇所をクランク状に屈曲成形して隣接するバー接続導体の相互間に高低段差を設定したことを特徴とする回路遮断器の端子アダプタ。
【請求項３】
請求項１に記載の端子アダプタにおいて、端子台の端面には回路遮断器の本体ケースの端面に向けて凸条の係合リブを設け、該係合リブを回路遮断器の本体ケースの端面に形成した係合条溝に嵌入して端子台を回路遮断器の本体ケースの端面に結合させたことを特徴とする回路遮断器の端子アダプタ。
【発明の詳細な説明】
【技術分野】
【０００１】
本発明は、分電盤，制御盤などに配置して盤内の幹線回路に分岐接続する回路遮断器（オートブレーカ，漏電遮断器）を対象に、該回路遮断器の本体に外付けしてその主回路端子と盤内に布設した幹線回路のバー導体との間を中継接続する回路遮断器の端子アダプタに関する。
【背景技術】
【０００２】
まず、本発明に係る端子アダプタを適用する回路遮断器の例として、一般配線用オートブレーカ（２極形）の外形図を図６（ａ）〜（ｃ）に示す。図において、１は接点開閉機構，過電流引き外し装置、消弧装置（不図示）などを内装したモールド樹脂製の本体ケース、２，３は前記本体ケース１の両端部に振分けて設けた主回路の電源側端子および負荷側端子、２ａ，３ａは各極の電源側端子２，負荷側端子３に螺設した端子ネジ、４は接点開閉機構に連繋した操作ハンドル、５は電源側，負荷側の異極端子間を隔離するよう本体ケース１の両端部に形成した相間隔壁、６は相間隔壁５の上面に穿孔した本体ケース１の取付け孔、７は相間隔壁５の端面に形成してバリア板などの付属部品をインロー結合するための係合条溝である。なお、図中に表した寸法Ａは本体ケース１の外形幅、寸法Ｂは主回路端子２，３における異極間ピッチであり、電源側，負荷側の端子２，３に螺設した端子ネジ２ａ，２ｂは通常Ｍ５，Ｍ６ネジが用いられている。
【０００３】
ここで、現在市場に展開しているオートブレーカの仕様について記すと、ＪＩＳ協約形の２極オートブレーカ（アンペアフレーム：３２〜６３ＡＦ）は、本体ケース１の外形幅（図６（ａ）のＡ寸法）が５０mm、主回路端子の極間ピッチ（図６（ａ）のＢ寸法）が２５mmであるが、近年になり小形化の市場ニーズに合わせて製品のダウンサイジングが進み、最近では前記と同じアンペアフレームの２極オートブレーカで、その本体ケースの外形幅（図６のＡ寸法）を３６mm、極間ピッチ（図６のＢ寸法）を１８mmに縮減して国内外の規格に準拠するスリム形のオートブレーカがラインアップされるようになっている。
【０００４】
次に、単相３線式の分電盤を例に、前記オートブレーカを盤内に配置した分電盤の配線回路を図７に示す。図において、８は機械設備，電灯用などに適用するキャビネット形の分電盤、９は分電盤８の引込み幹線（Ｒ，Ｎ，Ｔ相）、１０は前記引込み幹線９に接続した主幹ブレーカ、１１は主幹プレーカ１０の二次側に接続して盤内に布設した電圧母線（Ｒ，Ｔ相）、１２は中性母線（Ｎ相）、１３は前記母線を挟んでその両側に配した取り付けレールに沿って一列に配置したオートブレーカ（２極）であり、該オートブレーカ１３の電源側端子２（図６参照）と前記電圧母線１０，中性母線１１との間が分岐線１４を介して接続されている。また、図示の分電盤では盤内に布設した電圧母線１０，中性母線１１，および分岐線１４はいずれも裸バー導体で、この分岐線（バー導体）１４の先端をオートブレーカ１２の電源側端子（図６参照）にネジ締めして直付接続するようにしている。
【０００５】
一方、日本配電制御システム工業会規格［分電盤通則・ＪＳＩＡ ３００ ］では、盤内の充電部と非充電金属体との間隔、異極充電部間の空間距離、および沿面距離は１０mm（３００Ｖを超える線間電圧が加わる沿面距離については ２０mm）以上とすることが規定されている。但し、分電盤に収納する過電流遮断器，その他の器具については、その充電部の絶縁間隔はそれぞれの器具の規格に準じると規定されている。
【０００６】
上記規格から、図７の分電盤に布設した分岐線（バー導体）１４を図６に示したオートブレーカの電源側端子２に直付接続するには、オートブレーカの主回路端子に接続する分岐線（裸バー導体）１４の異極相互間には１０mm以上の空間距離，ないしそれに相当する絶縁強度を確保する必要がある。
【０００７】
この場合に、分電盤内に配置する分岐ブレーカ（図６参照）が先記したＪＩＳ協約形ブレーカであれば、その主回路端子の極間ピッチは２５mmであるので、電源側端子２（図６参照）に該端子バーと同幅（１１.５mm幅）のバー導体（分岐線１４）をネジ締めして直付接続することで、異極バー導体の相互間には分電盤の規格で規定されている１０mm以上の空間距離が確保される。
【０００８】
一方、分電盤に配置する分岐ブレーカに先記したスリム形のオートブレーカ（本体ケースの外形幅３６mm）を採用すれば、盤内で分岐プレーカの占有スペースが縮減するので分岐ブレーカの増設，分電盤の小型化が可能となるものの、この場合には分電盤の規格で規定されている配線の絶縁距離を確保するために次記のような課題がある。
【０００９】
すなわち、先記したスリム形の２極オートブレーカは、本体ケース１の外形幅（図６（ａ）のＡ寸法）が３６mm，主回路端子の極間ピッチ（図６（ａ）のＢ寸法）が１８mmである。このために、オートブレーカの電源側端子２にその端子と同幅なバー導体（導体幅１１.５mm）の分岐線１４（図７参照）をネジ締めして直付接続すると、その異極のバー導体相互間の空間距離は１０mm以下となり、このままでは分電盤の規格で規定されている空間距離が確保できなくなる。
【００１０】
このために、従来では分岐線１４の全長域でバー導体の周面に絶縁テープを巻き付けるなどして分電盤の規格に準拠する絶縁強度の確保を図るようにしている。
【００１１】
なお、分岐線１４にブレーカ本体の主回路端子よりも幅の狭いバー導体を用いて隣接する導体相互間の空間距離を１０mm以上に拡大させることも考えられるが、バー導体をブレーカの主回路端子に接続するには、該主回路端子に螺設した端子ネジ２ａ（Ｍ５，Ｍ６ネジ）に対応するネジ通し孔を分岐線１４のバー導体に加工しておく必要があるため、その制約から分岐線１４のバー導体幅を狭めることが実際には困難である。
【００１２】
また、ブレーカの主回路端子に外部接続する盤内の分岐線１４（図７参照）に対する相間の絶縁距離確保の対応策として、オートブレーカの主回路端子に別部品の端子アダプタを追加付設し、この端子アダプタの端子台内部で左右並置して布設した接続導体（裸バー導体）の外部接続端側を曲げ加工してその配列ピッチを左右方向に広げた上で、その先端に外部接続する分電盤側の分岐線（裸バー導体）の相間絶縁距離を拡大するようにした端子アダプタが知られている（特許文献１参照）
【先行技術文献】
【特許文献】
【００１３】
【特許文献１】特開平１１−２９７１７９号公報（図１）
【発明の概要】
【発明が解決しようとする課題】
【００１４】
先述のように分電盤内に配置する分岐ブレーカとして主回路端子の異極間ピッチが狭いスリム形のブレーカを採用する場合には、ブレーカ本体の端子に接続して盤内に布設する分岐線（裸バー導体）には分電盤の規格で規定した絶縁距離の確保が必要であり、そのために従来は分電盤内で分岐線のバー導体に絶縁テープを巻き付けるなどして所要の絶縁強度を確保するようにしているが、この方法は施行現場で行う絶縁テープの巻き付け作業に手間と時間がかかる問題がある。
【００１５】
また、先記の特許文献１に開示の端子アダプタを回路遮断器（オートブレーカ）の主回路端子部に組み付けて、この回路遮断器の端子に外部接続する盤内配線の相間ピッチを広げるようにした対応策も知られているが、この端子アダプタは端子台に設けた接続導体の間隔ピッチを外部接続端側で左右方向に広げるようにしていることから、必然的に端子アダプタの外形幅がブレーカ本体の外形幅よりも大きくなる。このために、図７のようにキャビネット形分電盤の盤内に複数台の分岐ブレーカを整列して並置配備する場合には、隣接するブレーカの間にデッドスペースが生じで盤内のスペース効率が低下する。このために、スリム形のオートブレーカを採用しても分電盤の小形，コンパクト化が達成できなくなる問題がある。
【００１６】
本発明は上記の点に鑑みなされたものであり、その目的は分電盤に配置して盤内に布設した主幹回路のバー導体に分岐接続する回路遮断器（オートブレーカ，漏電遮断器）を対象に、該回路遮断器の主回路端子の極間ピッチに制約されることなく、前記主幹回路の分岐線（裸バー導体）の相互間に分電盤の規格で規定されている絶縁距離を確保して回路遮断器の主回路端子に前記主幹回路のバー導体を中継接続できるように改良した回路遮断器の端子アダプタを提供することにある。
【課題を解決するための手段】
【００１７】
上記目的を達成するために、本発明によれば、分電盤内に配置され、本体ケースの一端側に各極の端子を同一高さに配設した端子部を備えた回路遮断器と、回路遮断器に外付けして回路遮断器の端子部と盤内に布設した主幹回路のバー導体とを中継接続する回路遮断器の端子アダプタであって、端子アダプタは、回路遮断器の本体ケースと同幅な外形で本体ケースの端子部に連結した端子台と、回路遮断器の各極の端子に対応して端子台の内部に並置したバー接続導体とからなり、かつ各極のバー接続導体は、回路遮断器との接続側端部を端子台から外部に突出させてその先端に端子ネジのネジ孔を設け、分電盤の主幹回路との接続側端部には隣接するバー接続導体の相互間に高低段差を設定した上で、その先端に端子ネジを設けた構造とする（請求項１）。
【００１８】
また、前記構成の端子アダプタにおいては、端子台の内部に並置した各極のバー接続導体のうち、少なくとも一方のバー接続導体にはその長手方向の途中箇所をクランク状に屈曲成形して隣接するバー接続導体の相互間に高低段差を設定する（請求項２）。
【００１９】
さらに、前記端子台の端面には回路遮断器の本体ケースの端面に向けて凸条の係合リブを設け、該係合リブを回路遮断器の本体ケースの端面に形成した係合条溝に嵌入して結合させるようにする（請求項３）。
【発明の効果】
【００２０】
前記構成の端子アダプタを分電盤に配置して盤内の主幹回路に接続する回路遮断器の端子部に外付けすることにより、前記回路遮断器が，主回路端子の極間ピッチが狭いスリム形の回路遮断器であっても、従来のように回路遮断器に外部接続する主幹回路のバー導体に絶縁テープを巻き付けるなどして絶縁を補強する手間のかかる対策を講じることなく、主幹回路のバー導体の異極相互間に分電盤の規格に準拠する空間距離を確保して配線することができる。
【００２１】
また、当該端子アダプタは、その端子台の外形幅を回路遮断器本体の外形幅に合わせて同幅に設定したことで、分電盤内に複数台の回路遮断器を整列配置する場合でも、隣り合う回路遮断器の相互間にデッドスペースを残すことなく、近接配置して盤内のスペース効率を高めることができて分電盤の小形，コンパクト化を達成できる。
【図面の簡単な説明】
【００２２】
【図１】本発明の実施例による端子アダプタをスリム形の２極回路遮断器に適用してその本体ケースに外付けした組立状態を表す外形斜視図である。
【図２】図１に対応する組立図であって、（ａ），（ｂ），（ｃ）はそれぞれ平面図、側面図，および端面図である。
【図３】図１における端子アダプタの詳細構造図であって、（ａ）は分解斜視図、（ｂ）は（ａ）における異極バー接続導体の形状を表す斜視図である
【図４】図１に対応する回路遮断器の端子部とここに連結する端子アダプタの端子台との連結前の状態を表す平面図である。
【図５】図１に示した端子アダプタ付きの回路遮断器を分電盤に配置して盤内に布設した主幹回路にバー導体を介して分岐接続した配線構造図であって、（ａ）は模式配線図、（ｂ），（ｃ）はそれぞれ（ａ）に対応する配線構造の平面図，および側面図である。
【図６】図１の回路遮断器に対応する２極オートブレーカの外形図であって、（ａ），（ｂ），（ｃ）はそれぞれ平面図、側面図、および端面図である。
【図７】単相３線式分電盤を例に、盤内に複数台の回路遮断器を収納配置して盤内の主幹回路に分岐接続した模式配線図である。
【発明を実施するための形態】
【００２３】
以下、本発明の実施の形態を図１〜図４に示す実施例に基づいて説明する。なお、図示実施例における回路遮断器は、先記したスリム形の２極オートブレーカであり、図６，図７に対応する各部材には同じ符号を付してその説明は省略する。
【００２４】
先ず図１，図２において、分電盤の分岐ブレーカとして図７のように盤内に配置する回路遮断器（以下、「オートブレーカ」と呼称する）には、その本体ケース１の両端に配した主回路端子部に本発明に係る端子アダプタ１５を外付けして連結し、この端子アダプタ１５を介してオートブレーカの電源側，負荷側端子２，３を分電盤内に布設した主幹回路（図７における主幹回路の分岐線１４），および負荷側回路のバー導体に中継接続するようにしている。
【００２５】
この端子アダプタ１５は、モールド樹脂製の端子台１６と、オートブレーカの主回路端子２，３の各極に対応して前記端子台１６の内部に布設したバー接続導体１７との組立体になる。ここで、端子台１６はオートブレーカの外形に合わせてその本体ケース１の外形幅Ａと同幅な外形幅Ｃに設定した上で、後記のように端子台１６の端面をオートブレーカの本体ケース１の端面に突合せて両者の間をインロー結合するようにしている。
【００２６】
また、端子台１６の内部に布設した２極分のバー接続導体１７については、その一端を端子台１６から外部に突出させてその先端に端子ネジのネジ孔を設け、オートブレーカの主回路端子２，３に端子ネジ２ａ，３ａを介してネジ締め接続するようにし、これと反対側の外部接続端側には図示のように高低段差Δｈを設定してその先端に端子ネジ１８を螺設している。なお、１６ａは前記バー接続導体１７の間を隔離するよう端子台１６に形成した絶縁隔壁である。
【００２７】
次に、前記端子アダプタ１５の詳細構造を図３（ａ），（ｂ）に示す。図示のように端子台１６の絶縁隔壁１６ａを挟んでその両側に布設した２極分のバー接続導体１７ａ，１７ｂの極間には、先記したスリム形のオートブレーカの仕様に基づく極間ピッチＢと同じ極間ピッチ（１８mm）が設定されている。また、前記バー接続導体１７ａ，１７ｂのうち、一方極のバー接続導体１７ａは平坦な帯状の平角バー導体であるのに対して、他方極のバー接続導体１７ｂはその長手方向に沿った途中箇所を上方に向けてクランク状（Ｚ字形）に屈曲成形し、この屈曲部１７ｂ−１を経てバー接続導体１７ａと１７ｂとの間に高低段差Δｈを設定している。なお、前記の高低段差Δｈは、例えば１０mm程度に設定する。また、この高低段差Δｈに合わせて、端子台１６の内部に形成したバー導体の台座面１６ｂと１６ｃとの間に前記と同じ高低段差Δｈを形成している。
【００２８】
また、図４で示すように、端子台１６の端面（オートブレーカとの対向面側）には、絶縁隔壁１６ａに沿って凸条の係合リブ１６ｄを突設しておき、当該端子アダプタ１５をオートブレーカの本体ケース１に連結する際に、前記係合リブ１６ｄをオートブレーカの相間隔壁５に沿って形成した付属部品の係合条溝７に差し込んでインロー結合するようにしている。なお、図４における１６ｅは、バー接続導体１７に螺設した端子ネジ１８（図３参照）のネジ軸部が嵌入する凹穴である。
【００２９】
前記のように、左右に並べて端子台１６に布設したバー接続導体１７ａと１７ｂとの間に高低段差Δｈを設定したことにより、端子ネジ１８を螺設した外部接続端側での相互間隔は、高低段差Δｈが加算された分だけ拡大することになる（三平方の定理）。
【００３０】
したがって、先記したスリム形オートブレーカの主回路端子２，３に前記構成になる端子アダプタ１５を連結した組立状態（図１参照）で、このオートブレーカを分電盤に配置して盤内の主幹回路，負荷側回路に配線する際に、接続相手のバー導体（例えば図７における主幹回路の分岐線１４）を端子アダプタ１５のバー接続導体１７ａ，１７ｂにネジ結合して接続すれば、異極の分岐線相互間には分電盤の規格で規定されている絶縁距離（１０mm）以上の空間距離が確保されることになる。これにより、従来のように盤内側のバー導体に絶縁テープなどを巻き付けて絶縁強化を図る手間のかかる作業の必要無しに、配電盤の規格に遵守した配線作業を簡単に行うことができる。
【００３１】
また、図示実施例の端子アダプタ１５は、その端子台１６の外形幅Ｃをオートブレーカの外形幅Ａと同幅に設定しているので、この端子アダプタをオートブレーカの本体ケース１に連結した状態（図１，図２参照）でも、端子アダプタ１５が本体ケース１より側方に張り出すことがない。
【００３２】
したがって、図７のようにキャビネット形分電盤の盤内に複数台のオートブレーカを同列に整列して並置配備する場合にも、隣り合うオートブレーカの相互間にデッドスペースを生じることがない。これにより、複数台のオートブレーカを収納する分電盤内のスペース効率を高めることができて分電盤の小形，コンパクト化が達成できる。
【００３３】
なお、以上述べた図示実施例では、端子アダプタ１５の端子台１６に配したバー接続導体１７について、その一方のバー接続導体１７ｂの途中箇所をクランク状に屈曲して他方の直線状のバー接続導体１７ａとの間に高低段差Δｈを設定するようにしているが、その応用実施例として、異極のバー接続導体１７ａ，および１７ｂに同じクランク形状のバー導体を用い、その一方を上下反転して高低段差Δｈを設定することも可能であり、この方法によれば一種類のバー導体で異極のバー接続導体１７ａ，１７ｂに対応させることができる。
【００３４】
また、図１，図２に示した実施例では、端子アダプタ１５をオートブレーカの両端に配した電源側，および負荷側の端子部に連結しているが、例えば分電盤内の負荷側回路の配線導体が圧着端子付きの絶縁被覆線であれば、負荷側に連結する端子アダプタ１５は省略してもよい。そのほか、スリム形の３極オートブレーカに適用する端子アダプタについても図示実施例と同様に、端子台の内部に布設する各相のバー接続導体相互間に高低段差Δｈを設定することで、分電盤の規格に準拠する配線構造を構築できる。
【００３５】
次に本発明実施例の参考図として、オートブレーカの電源側端子部に端子アダプタ１５を外付けし、この端子アダプタ１５を介して分電盤内に布設した主幹回路に分岐接続した配線構造を図５（ａ）〜（ｃ）に示す。この図で明らかなように、盤内に布設した主幹回路の分岐線（裸バー導体）１４を、端子アダプタ１５の内部で高低段差Δｈを設定したバー接続導体１７ａ，１７ｂにネジ締め接続することで、そのオートブレーカが先記した極間ピッチの狭いスリム形のオートブレーカ（異極間ピッチＢ：１８mm）である場合でも、分岐線１４に絶縁テープを巻き付けること無しに、異極分岐線１４の相互間に分電盤の規格で規定した絶縁距離を確保させることができて配線作業性の大幅な改善が図れる。
【符号の説明】
【００３６】
１    回路遮断器（オートブレーカ）の本体ケース
２    電源側端子
３    負荷側端子
２ａ，３ａ  主回路端子の端子ネジ
７    付属部品の係合条溝
８    キャビネット形分電盤
１３  分電盤内に配置の分岐ブレーカ
１４  主幹回路の分岐線（裸バー導体）
１５  端子アダプタ
１６  端子台
１６ａ  端子台の絶縁隔壁
１６ｂ，１６ｃ  バー導体の台座面
１７，１７ａ，１７ｂ  バー接続導体
１８  端子ネジ
Ａ    回路遮断器の外形幅寸法
Ｂ    回路遮断器の極間ピッチ
Ｃ  端子アダプタの外形幅寸法
Δｈ  バー異極接続導体相互間の高低段差
【図１】
0006540199.tif 000002
【図２】
0006540199.tif 000003
【図３】
0006540199.tif 000004
【図４】
0006540199.tif 000005
【図５】
0006540199.tif 000006
【図６】
0006540199.tif 000007
【図７】
0006540199.tif 000008